(57)【特許請求の範囲】
【請求項１】
建物開口部の左右端部に立設されたガイドレールと、開口部開放時には該開口部上方に収納されており、その左右両端が該ガイドレールの溝部に案内されながら降下して該開口部を閉鎖するシャッターカーテンとを備えたシャッターにおいて、
開口部上方のまぐさ部には開口幅方向に延出する上方気密部材が設けてあり、
該左右のガイドレールの溝部には上下方向に延出する側方気密部材がそれぞれ設けてあり、
該シャッターカーテン下端部には気密・水密座板構造が設けてあり、
該気密・水密座板構造は、
該シャッターカーテンの幅寸法よりも短く形成された上座板と下座板とからなる障害物検知用座板スイッチと、
該障害物検知用座板スイッチの両端に位置して装着された振止部材と、
該下座板の下側に一体形成された装着用ポケットと、
該ポケットを介して該下座板に装着された第一下方気密部材と、
該該振止部材の下側に装着された第二下方気密部材と、
から構成され、
開口部閉鎖時には、該上方気密部材がシャッターカーテンの上方部位に、該側方気密部材がシャッターカーテンの左右端部に、該第一、第二下方気密部材が開口部下面にそれぞれ密接するように構成されていることを特徴とする気密・水密シャッター。
【発明の詳細な説明】
【０００１】
【発明の属する技術分野】
本発明は、建築用シャッター装置のシャッターカーテン下端部の気密・水密構造、および気密シャッターに関するものである。
【０００２】
【従来の技術】
上座板と下座板からなる障害物検知装置付座板スイッチを有するシャッター装置において、床面と座板下面との隙間から風雨の入り込むのを防ぐために、従来は下座板の下面に、水密・気密用ゴムを取り付けるための曲げ物を設けていた。図６は従来の気密ゴム１３０の装着手段を示すものであって、下座板を形成するアルミ型材にスチール（ステンレス）の曲物ＣをビスＤおよび溶接Ｅを用いて取り付けてから、ゴム１３０を装着していた。
【０００３】
しかしながら、このものでは、次に述べるような不具合があった。まず、可動式の座板は内部に検知スイッチ（図示せず）等が取り付けられているため、ビスの打ち込み方向や位置に制約があった。また、気密ゴム１３０の取付用に別部材である曲物Ｃを取り付けるので、座板部の全体の高さ寸法が大きくなる分、気密ゴム１３０の高さが小さいものに制限され、シール効果が低減することになっていた。さらに、曲物Ｃを別途取り付けるため、材料費や加工、取付費や、手間も多く、コスト高であった。また、下座板（アルミ押出材）と曲げ物（スチール、ステンレス）が異種金属の場合、接触面において腐食（電食）の心配もあった。さらに、障害物検知用座板では、障害物（通行人、物）の保護のため幅広の座板（及びゴム）が用いられ、端部がガイドレール溝内まで入らなかった。そのため、幅広の座板とガイドレールとの隙間から水飛沫が入り込みやすかった。
【０００４】
一方、シャッターが開口部を閉鎖した状態において、シャッターと開口部との隙間を可及的に無くすという技術思想は防火・防煙シャッターには存在していたが、通常のシャッターに気密構造をもたせるという技術思想はなかった。しかしながら、シャッター装置の設置場所によっては、埃や雨水の侵入を防止したり、あるいは防臭が必要となる場合がある。
【０００５】
【発明が解決しようとする課題】
本発明の第一の目的は、改良された気密・水密座板構造を提供することで、前記不具合を解消することを目的とするものである。本発明の他の目的は、気密・水密構造を備えたシャッター装置を提供することにある。
【０００６】
【課題を解決するための手段】
かかる課題を達成するために本発明が採用した技術手段は、建物開口部の左右端部に立設されたガイドレールと、開口部開放時には該開口部上方に収納されており、その左右両端が該ガイドレールの溝部に案内されながら降下して該開口部を閉鎖するシャッターカーテンとを備えたシャッターにおいて、開口部上方のまぐさ部には開口幅方向に延出する上方気密部材が設けてあり、該左右のガイドレールの溝部には上下方向に延出する側方気密部材がそれぞれ設けてあり、該シャッターカーテン下端部には気密・水密座板構造が設けてあり、該気密・水密座板構造は、該シャッターカーテンの幅寸法よりも短く形成された上座板と下座板とからなる障害物検知用座板スイッチと、該障害物検知用座板スイッチの両端に位置して装着された振止部材と、該下座板の下側に一体形成された装着用ポケットと、該ポケットを介して該下座板に装着された第一下方気密部材と、該該振止部材の下側に装着された第二下方気密部材と、から構成され、開口部閉鎖時には、該上方気密部材がシャッターカーテンの上方部位に、該側方気密部材がシャッターカーテンの左右端部に、該第一、第二下方気密部材が開口部下面にそれぞれ密接するように構成されていることを特徴とするものである。
【０００９】
【発明の実施の形態】
本発明の実施の形態を図面に基づいて説明する。図１は建物開口部に設置されるシャッター装置の納まりを示す側面図であり、図２は一方のガイドレールの断面図である。図１においてシャッター装置を挟んで左側が外部側、右側が内部側である。シャッター装置は建物開口部上方に設置されるシャッターケース１と、シャッターケース１内に開口部幅方向に延出して内装された巻取シャフト２と、上端が巻取シャフト２に連結されており、開口部開放時には巻取シャフト２に巻装されており、開口部閉鎖時には巻取シャフト２から繰り出されて開口部を閉鎖するシャッターカーテン３と、開口部左右端部に立設されており、シャッターカーテン３の左右両端部を案内するガイドレール４とを有している。
【００１０】
シャッターカーテン３は複数枚のスラット５を上下に連設させて形成されており、シャッターカーテン３の下端には座板バー６と上座板７と下座板８とから構成された障害物検知用座板スイッチＳが設けてある。
【００１１】
ガイドレール４は断面視略コ字状を有しており、シャッターカーテン３の幅方向端部を受け入れる溝部が形成されている。ガイドレール４の溝部には側方気密部材９として例示する気密ゴムが設けてあり、側方気密部材はシャッターカーテン３の端部外側面に密接する延出部を有している。側方気密部材９は上下方向に延出しており、開口部閉鎖時にはシャッターカーテン３の略全高にわたって密接するようになっている。尚、図２において一点鎖線はシャッターカーテンの芯を示している。
【００１２】
開口部上方にはまぐさ部が形成されており、まぐさ部は建物外部側に位置する外まぐさ１０と、建物内部側に位置する内まぐさ１１とから構成されており、対向する外まぐさ１０と内まぐさ１１との間を介して建物開口部とシャッターケース１内部とが連通されている。外まぐさ１０の上方には上方気密部材１２として例示する気密ゴムが開口部の略幅全体にわたって延設されている。気密部材１２は外まぐさ１０から対向する内まぐさ１１に向かって略水平状に延出しており、延出端部は常時シャッターカーテン３の外側面に当接するようになっている。
【００１３】
図３は座板スイッチの側方断面図であって、座板スイッチＳは、シャッターカーテン下端のスラットに連設される座板バー６と、座板バー６に連結された上座板７と、上座板７と連携された下座板８とから構成されており、このような座板スイッチの構成は公知である。
【００１４】
下座板８の下端側には第一下方気密部材１３として例示する気密ゴムの装着部が一体形成されている。下座板８の内部空間には中間壁８ａが形成されており、下座板８の下壁８ｂと中間壁８ａとの間に、開口幅方向に延出する空間からなる装着用ポケット１４が形成されている。下座板８の下壁８ｂには開口幅方向に延出するスリット１４ａが形成されている。気密部材１３の上方部位に一体的に形成した装着片１３ｃが下座板８の下壁８ｂの上面に支持されるようになっている。図３において下座板８にステンレス巻きで曲物Ａ（破線で示す）を設ける場合には、気密部材１３の一部Ｂを剥離することにより、曲物Ａを差し込んで装着することができる。
【００１５】
下方気密部材１３は開口部の略幅全体にわたって延設されている。下方気密部材１３は従来のもの１３０に比べて薄肉の中空状部材で形成されている。また、下方気密部材１３の高さも従来の部材１３０に比べて高いものとなっており、シール効果が良好である。座板部全体の高さは図１に示すように、全開時の天井ふところ寸法に影響するので、小さい方がよい。本発明では、従来の曲げ物Ｃをなくすことで、座板部全体の高さを低く押えるものでありながら、気密部材１３の高さを確保することができる。下方気密部材１３の下方側は断面視において膨出状の湾曲面に形成されていると共に、放射状に延出するフィン１３ａ，１３ｂが対称状に設けてある。実際には開口部下面１８は必ずしも平面ではないので、下方気密部材１３を薄肉にして可撓性を持たせ、かつフィン１３ａ，１３ｂを設けたことで良好な気密が得られる。尚、実施の形態のものでは、シャッターラインを境にシャッター内外に床面の段差を設け、かつ開口部下面１８を枠体から構成したので、座板下面と開口部下面とのシール性が殊に良好である。
【００１６】
上座板７および下座板８の長さは座板バー６の長さより若干短い寸法に形成されており、上座板７および下座板８の左右両端部には振止部材１５が設けてある。振止部材１５の下方側には第二下方気密部材１６として例示する振止部材用座板ゴム１６がリテーナー１７によって装着されている。座板ゴム１６の高さは、座板スイッチＳが開口部下面１８に当接した後に、座板ゴム１６が床面に当接する程度の寸法に形成されている。また、座板ゴム１６の取付位置は、その下面が、下座板８が開口部下面１８に着地（全閉）して、相対上動したときに、座板部のゴム１３の下面と略一致するように取り付けられるので、全閉時の床面とのシール性が良好である。図１において符号１９は障害物検知装置受信機である。
【００１７】
【発明の効果】
本発明の気密・水密座板構造によれば、加工・取付作業が簡単でコスト的にも優れ、納まりのよいコンパクトでかつ意匠的にも優れる座板を構成することができる。また、本発明に係る気密シャッターによれば、開口部閉鎖時に、開口部上方、開口部下方、開口部側方において気密構造を得ることができる。
【図面の簡単な説明】
【図１】建物開口部に設置されるシャッター装置の納まりを示す側面図である。
【図２】 一方のガイドレールの断面図である。
【図３】本発明に係る座板スイッチの側面図である。
【図４】シャッターカーテン下端部位の左右方向一端側を示す正面図である。
【図５】図４を側方から見た図であり、振れ止め部材を示している。
【図６】従来の気密ゴム付座板スイッチを示す側面図である。
【符号の説明】
３    シャッターカーテン
４    ガイドレール
５    スラット
７    上座板
８    下座板
９    側方気密部材
１０  外まぐさ
１２  上方気密部材
１３  下方気密部材
１４  装着用ポケット
１８  開口部下面
【図１】
0003728717.tif 000002
【図２】
0003728717.tif 000003
【図３】
0003728717.tif 000004
【図４】
0003728717.tif 000005
【図５】
0003728717.tif 000006
【図６】
0003728717.tif 000007